(57)【要約】      （修正有）【課題】透明なフィルムにＬＥＤチップを配置することによって、シンボルマークや時計を光で浮かび上がらせるＬＥＤ照明装置において、均一な発光をさせることを可能とする導電性フィルムを提供する。【解決手段】マスクに合わせてカットされた透明でフレキシブルな導電性フィルムと、該導電性フィルムにレジスト液が塗布されたレジスト液層を有してなる導電性フィルムにおいて、上記レジスト液層が１ｃｍ２当たり０．０９０ｃｃ〜０．１３５ｃｃの固体化したレジスト液層から導電性フィルムを形成する。【選択図】図２
0003180700.tif 000002
【実用新案登録請求の範囲】
【請求項１】
マスクに合わせてカットされた透明でフレキシブルな導電性フィルムと、該導電性フィルムにレジスト液が塗布されたレジスト液層を有してなる導電性フィルムにおいて、上記レジスト液層が１ｃｍ２当たり０．０９０ｃｃ〜０．１３５ｃｃの固体化したレジスト液層からなる照明装置。
【考案の詳細な説明】
【技術分野】
【０００１】  本考案は、透明でフレキシブルなフィルム基盤にＬＥＤチップを配置し、シンボルマーク、看板やデジタル時計等に図形や文字を光らせる技術を提供するものである。
【背景技術】
【０００２】  従来、ベースフィルム上に導電性ペーストにより形成された複数の配線層と、導電性接着剤により実装された発光ダイオードとを有することを特徴とするフレキシブルプリント配線板として特開平１０−２５６６９４号公報（特許文献１）が提案されているが、ベースフィルムは透明ではなく、また、用途が自動車のメータパネルに限られている。また、光の三原色であるＲＧＢタイプのＬＥＤ光源の照明装置として特開２００１−９３３０５号公報（特許文献２）が提案されているが、ＲＧＢタイプの光源とする照明装置の提案であり、レジスト液層については開示されていない。いずれの特許文献も露光の際のばらつきについて考慮されていない。【０００３】
【特許文献１】特開平１０−２５６６９４号公報
【特許文献２】特開２００１−９３３０５号公報
【考案の開示】
【考案が解決しようとする課題】
【０００４】  本考案は、従来の問題点に鑑み案出されたものであり、導電性があってフレキシブルな透明性のある基盤にＬＥＤチップで文字や図形の形に並べることで、シンボルマークや時計等を提供するものである。
【課題を解決するための手段】
【０００５】  本考案は、透明でフレキシブルな導電性フィルムであるＩＴＯ（酸化インジウムスズ）フィルム上に、文字、図形、絵等の形にＬＥＤチップを銀ペーストで固定し、その上から封止しており、透明なフィルムにＬＥＤチップを配置することによって、シンボルマークや時計を光で浮かび上がらせるＬＥＤ照明装置において、均一な発光をすることが可能である照明装置を提供することにある。
【考案を実施するための形態】
【０００６】  本考案の実施例である透明時計について、添付の図面に従って具体的に説明する。ＩＴＯフィルム１をマスクに合わせてカットする。ＩＴＯフィルム１にレジスト液をスポイトなどにより、０．０９０ｃｃ塗布し、レジスト液層２を形成する（図１）。該レジスト液は、例えばスポイト２本分塗布することで、均一にＩＴＯフィルム１に広がる。露光しない所を保護するためにマスク３を合わせる。レジスト液層２を塗った部分に紫外線４を当てて感光させる（図２）。現像液に漬けて現像させ、現像液を洗い流すと、紫外線４の当たっている部分のレジスト液層２はなくなる。現像した部分の不要なＩＴＯ部分５を除去することでエッチングが完了する。水で塩酸を洗い流し、超音波でレジスト液層２を除去する。以上の工程で、ＩＴＯフィルム１上に電気が通る部分を通らない部分のパターンが形成される（図３）。レジスト液層２は、ベークすることにより固体化するものである。
なお、ＩＴＯフィルム１はＩＴＯ部分５とＰＥＴ（ポリエチレンテレフタレート）フィルム６からなっている。
また、図４は本考案のＬＥＤ実装後、封止した様子を示す断面図である。図５は、本本考案のデジタル時計を示す図である。
【０００７】  他の実施例について説明すると、図６に示すように、民間企業等の社章の作成について、説明する。
ＩＴＯフィルム１をマスクに合わせて、１０ｃｍ×１１ｃｍにカットする。サンドブラスタしない所を保護するためにマスク（図示せず）を合わせる。光を拡散するため擦りガラスのような表面にするため、微粒子で面を削る。スピンコーターにレジスト液層２を垂らして高速回転させることで均等にレジスト液を塗布し、レジスト液層２を形成する。露光しない所を保護するためにマスク（図示せず）を合わせる。レジスト液層２を塗った部分に紫外線４を当てて感光させる。現像液に漬けて現像させ、現像した部分の不要なＩＴＯ部分５を除去する。超音波によってレジスト液層２を除去する。
なお、２層にしたときには、レジスト液層２を塗布する工程から、レジスト液層２を除去する工程は不要である。その理由は、フィルムを２層にするため、プラスとマイナスの電極がそれぞれ設けられるので、不要である。
【０００８】  完成したフィルムの導電部分に、ＬＥＤチップ、サブマウントを銀ペーストで固定し、ベーク炉に入れ加熱することで、銀ペーストを硬化させる。ＬＥＤチップとサブマウントを金ワイヤーで繋ぐ。ＬＥＤチップとサブマウントを雨や埃などから保護するため、封止する。ベーク炉に入れ加熱することで、封止剤を硬化させる（図４）。
以上が、ＬＥＤチップの実装方法である。
【０００９】  また、１ｃｍ２当たり０．０９０ｃｃ未満であると均一なレジスト液層２が形成されず、１ｃｍ２当たり０．１３５ｃｃ以上であると液だれがして均一なレジスト液層２を得ることができない。
【００１０】  特に詳述しないが、ＬＥＤを光源とするデジタル時計、広告灯、ディスプレイ  公共団体や会社などの社章、面状イルミネーション、キーホルダー、ストラップ、玩具、視認性ライト、名札、銘盤、携帯電話用カバー、陶器・ガラス製品、装飾カップ、傘、車用ルームライト、手元用ライト等に応用できる。
【考案の効果】
【００１１】  本考案は、透明でフレキシブルなＩＴＯフィルム（導電性フィルム）上に、文字、図形、絵等の形にＬＥＤチップを銀ペーストで固定し、その上から封止しており、透明なフィルムにＬＥＤチップを配置することによって、シンボルマークや時計など多様な用途に技術を使用できるので、実用価値大なるものである。
【図面の簡単な説明】
【００１２】
【図１】本考案のレジスト液層を塗布した状態の断面図である。
【図２】本考案のレジスト液層の上からマスクをあて、紫外線を当てている状態を示す断面図である。
【図３】本考案の完成したＩＴＯフィルムを示す断面図である。
【図４】本考案のＬＥＤ実装後、封止した様子を示す断面図である。
【図５】本考案のデジタル時計を示す図である。
【図６】本考案の社章等の一例のモノグラム化した図形を示す図である。
【符号の説明】
【００１３】１．ＩＴＯフィルム
２．レジスト液層
３．マスク
４．紫外線
５．ＩＴＯ部分
６．ＰＥＴ部分
【図１】
0003180700.tif 000003
【図２】
0003180700.tif 000004
【図３】
0003180700.tif 000005
【図４】
0003180700.tif 000006
【図５】
0003180700.tif 000007
【図６】
0003180700.tif 000008
【手続補正書】
【提出日】平成24年10月5日(2012.10.5)
【手続補正１】
【補正対象書類名】実用新案登録請求の範囲
【補正対象項目名】全文
【補正方法】変更
【補正の内容】
【実用新案登録請求の範囲】
【請求項１】
マスクに合わせてカットされた透明でフレキシブルな導電性フィルムと、該導電性フィルムにレジスト液が塗布されたレジスト液層を有してなる導電性フィルムにおいて、上記レジスト液層が１ｃｍ２当たり０．０９０ｃｃ〜０．１３５ｃｃの固体化したレジスト液層からなる導電性フィルム。
【手続補正３】
【補正対象書類名】明細書
【補正対象項目名】０００５
【補正方法】変更
【補正の内容】
【０００５】  本考案は、透明でフレキシブルな導電性フィルムであるＩＴＯ（酸化インジウムスズ）フィルム上に、文字、図形、絵等の形にＬＥＤチップを銀ペーストで固定し、その上から封止しており、透明なフィルムにＬＥＤチップを配置することによって、シンボルマークや時計を光で浮かび上がらせるＬＥＤ照明装置において、均一な発光をすることが可能である導電性フィルムを提供することにある。